(57)【要約】【課題】情報表示装置の設置位置に関する自由度を高めることのできるホームドア装置及び情報表示装置を提供する。【解決手段】ホームドア装置１０は、プラットホーム１に設置される。ホームドア装置１０は、移動可能に設けられるドアパネル１５，１６と、ドアパネル１５，１６を駆動する駆動部が収納されたガイドボックス１１，１２と、情報表示装置５０と、駆動部を露出させるためにガイドボックス１１に設けられた開口部２２が情報表示装置５０により覆われる第１位置と、情報表示装置５０により開口部２２が覆われない位置である第２位置Ｐ２Ａとの間で情報表示装置５０を移動させるスライド機構とを備える。【選択図】図８
2018065442.tif 000002
【特許請求の範囲】
【請求項１】
プラットホームに設置されるホームドア装置であって、
移動可能に設けられるドアパネルと、
前記ドアパネルを駆動する駆動部が収納された収納部と、
情報を表示する表示部と、
前記駆動部を露出させるために前記収納部に設けられた開口部の少なくとも一部が前記表示部により覆われる第１位置と、前記表示部により前記開口部が覆われない位置又は前記開口部の前記表示部により覆われる領域が前記第１位置にあるときと比較して小さい位置である第２位置との間で前記表示部を移動させる移動部と、を備える
ホームドア装置。
【請求項２】
前記第２位置は、前記表示部を前記第１位置から前記ドアパネルの厚さ方向に垂直な方向に沿って移動させた位置である
請求項１に記載のホームドア装置。
【請求項３】
前記第２位置は、前記表示部を前記第１位置から所定の回転軸を中心に回転させた位置である
請求項１に記載のホームドア装置。
【請求項４】
前記ドアパネルは、一方向に移動する第１ドアパネルと、一方向とは逆方向に移動する第２ドアパネルとを備え、
前記収納部は、前記第１ドアパネルを駆動する第１駆動部が収納され、前記開口部としての第１開口部を有する第１収納部と、前記第２ドアパネルを駆動する第２駆動部が収納され、前記開口部としての第２開口部を有する第２収納部とを備え、
前記第１収納部と前記第２収納部とは、離間して設置され、
前記第１収納部と前記第２収納部との間には、前記第１収納部と前記第２収納部とに固定される固定パネルが備えられ、
前記固定パネルと前記表示部との間に前記移動部が取り付けられる
請求項１〜３のいずれか一項に記載のホームドア装置。
【請求項５】
前記ドアパネルの移動方向における前記表示部の長さは、前記ドアパネルの移動方向における前記第１収納部及び前記固定パネル及び前記第２収納部のそれぞれの長さの和と等しい
請求項４に記載のホームドア装置。
【請求項６】
前記ドアパネルの移動方向における前記表示部の長さは、前記収納部の前記ドアパネルの移動方向における長さと等しい
請求項１〜３のいずれか一項に記載のホームドア装置。
【請求項７】
前記収納部は、前記開口部を塞ぐ蓋を有し、
前記表示部は、前記蓋を兼ねる
請求項１〜６のいずれか一項に記載のホームドア装置。
【請求項８】
前記表示部は、情報の表示態様を制御する表示制御部を備え、
前記表示制御部は、前記表示部が前記第２位置のときに露出する位置に配設される
請求項１〜７のいずれか一項に記載のホームドア装置。
【請求項９】
前記表示部の上部は、軌道側又は前記プラットホーム側に傾斜した傾斜部となっている
請求項１〜８のいずれか一項に記載のホームドア装置。
【請求項１０】
前記収納部の上部は、前記表示部の傾斜部と同じ側に傾斜した傾斜部となっており、
前記表示部の傾斜部と前記収納部の傾斜部とが連続的に設けられている
請求項９に記載のホームドア装置。
【請求項１１】
移動可能に設けられるドアパネルと、前記ドアパネルを駆動する駆動部が収納された収納部と、を備えるとともにプラットホームに設置されるホームドア装置に取り付けられて情報を表示する情報表示装置であって、
前記駆動部を露出させるために前記収納部に設けられた開口部の少なくとも一部が覆われる第１位置と、前記開口部が覆われない位置又は前記開口部の覆われる領域が前記第１位置にあるときと比較して小さい位置である第２位置との間で移動させる移動部を備える
情報表示装置。
【請求項１２】
前記ドアパネルは、一方向に移動する第１ドアパネルと、一方向とは逆方向に移動する第２ドアパネルとを備え、
前記収納部は、前記第１ドアパネルを駆動する第１駆動部が収納され、前記開口部としての第１開口部を有する第１収納部と、前記第２ドアパネルを駆動する第２駆動部が収納され、前記開口部としての第２開口部を有する第２収納部とを備え、
前記第１収納部と前記第２収納部とは、離間して設置され、
前記第１収納部と前記第２収納部との間に設けられ、前記第１収納部と前記第２収納部とに固定される固定パネルを備え、
前記移動部は、前記固定パネルとの間に取り付けられる
請求項１１に記載の情報表示装置。
【発明の詳細な説明】
【技術分野】
【０００１】
本発明は、プラットホームに設置されるホームドア装置及びホームドア装置に取り付けられる情報表示装置に関する。
【背景技術】
【０００２】
従来、プラットホームに設置されて、プラットホームと線路等の軌道とを区画するホームドア装置が知られている（例えば、特許文献１参照）。ホームドア装置は、プラットホームに固定されたガイドボックスにドアパネルが往復移動可能に支持されている。ガイドボックス内には、ドアパネルを開閉駆動するための駆動部や制御部が収納されている。
【０００３】
特許文献１に記載のホームドア装置では、ガイドボックスのホーム側の側面に情報を表示する情報表示装置（表示部）が設けられている。
【先行技術文献】
【特許文献】
【０００４】
【特許文献１】特開２０１０−５６５３２号公報
【発明の概要】
【発明が解決しようとする課題】
【０００５】
ところで、上記特許文献１に記載のホームドア装置では、ガイドボックス内の駆動部や制御部等の機器をメンテナンスしやすいようにガイドボックスに設けられたメンテナンス用の開口部を塞がないように情報表示装置が設けられている。このため、情報表示装置の設置位置が制限されている。
【０００６】
本発明は、こうした実情に鑑みてなされたものであり、その目的は、情報表示装置の設置位置に関する自由度を高めることのできるホームドア装置及び情報表示装置を提供することにある。
【課題を解決するための手段】
【０００７】
上記課題を解決するホームドア装置は、プラットホームに設置されるホームドア装置であって、移動可能に設けられるドアパネルと、前記ドアパネルを駆動する駆動部が収納された収納部と、情報を表示する表示部と、前記駆動部を露出させるために前記収納部に設けられた開口部の少なくとも一部が前記表示部により覆われる第１位置と、前記表示部により前記開口部が覆われない位置又は前記開口部の前記表示部により覆われる領域が前記第１位置にあるときと比較して小さい位置である第２位置との間で前記表示部を移動させる移動部と、を備える。
【０００８】
上記課題を解決する情報表示装置は、移動可能に設けられるドアパネルと、前記ドアパネルを駆動する駆動部が収納された収納部と、を備えるとともにプラットホームに設置されるホームドア装置に取り付けられて情報を表示する情報表示装置であって、前記駆動部を露出させるために前記収納部に設けられた開口部の少なくとも一部が覆われる第１位置と、前記開口部が覆われない位置又は前記開口部の覆われる領域が前記第１位置にあるときと比較して小さい位置である第２位置との間で移動させる移動部を備える。
【０００９】
上記構成によれば、メンテナンス時以外の通常時には情報表示装置（表示部）を第１位置、すなわち開口部を覆う位置に配置することができる。一方、メンテナンス時には移動部を通じて情報表示装置（表示部）を第２位置に移動させることで駆動装置のメンテナンス作業を容易に行うことができる。したがって、情報表示装置（表示部）の設置位置に関する自由度を高めることができる。ここで、上記表示部と上記情報表示装置とは同様の装置である。
【００１０】
上記ホームドア装置について、例えば前記第２位置は、前記表示部を前記第１位置から前記ドアパネルの厚さ方向に垂直な方向に沿って移動させた位置である。
上記ホームドア装置について、例えば前記第２位置は、前記表示部を前記第１位置から所定の回転軸を中心に回転させた位置である。
【００１１】
上記ホームドア装置について、前記ドアパネルは、一方向に移動する第１ドアパネルと、一方向とは逆方向に移動する第２ドアパネルとを備え、前記収納部は、前記第１ドアパネルを駆動する第１駆動部が収納され、前記開口部としての第１開口部を有する第１収納部と、前記第２ドアパネルを駆動する第２駆動部が収納され、前記開口部としての第２開口部を有する第２収納部とを備え、前記第１収納部と前記第２収納部とは、前記第１ドアパネルと前記第２ドアパネルとを収容することができるように離間して設置され、前記第１収納部と前記第２収納部との間には、前記第１収納部と前記第２収納部とに固定される固定パネルが備えられ、前記固定パネルと前記表示部との間に前記移動部が取り付けられることが好ましい。
【００１２】
上記情報表示装置について、前記ドアパネルは、一方向に移動する第１ドアパネルと、一方向とは逆方向に移動する第２ドアパネルとを備え、前記収納部は、前記第１ドアパネルを駆動する第１駆動部が収納され、前記開口部としての第１開口部を有する第１収納部と、前記第２ドアパネルを駆動する第２駆動部が収納され、前記開口部としての第２開口部を有する第２収納部とを備え、前記第１収納部と前記第２収納部とは、離間して設置され、前記第１収納部と前記第２収納部との間に設けられ、前記第１収納部と前記第２収納部とに固定される固定パネルを備え、前記移動部は、前記固定パネルとの間に取り付けられることが好ましい。
【００１３】
上記構成によれば、第１収納部と第２収納部との間に固定される固定パネルに移動部が取り付けられることで、収納部に移動部を取り付ける構造を備える必要がなく、取り付けに伴う収納部の構造の変更を少なくすることができる。また、固定パネルを予め備えるホームドア装置であれば、情報表示装置（表示部）が取り付けられた固定パネルに交換することで情報表示装置（表示部）をホームドア装置に備えることができる。
【００１４】
上記ホームドア装置について、前記ドアパネルの移動方向における前記表示部の長さは、前記ドアパネルの移動方向における前記第１収納部及び前記固定パネル及び前記第２収納部のそれぞれの長さの和と等しいことが好ましい。
【００１５】
上記構成によれば、ドアパネルの移動方向における表示部の長さを同移動方向において第１収納部及び第２収納部からはみ出さない範囲で最大にすることができる。
上記ホームドア装置について、前記ドアパネルの移動方向における前記表示部の長さは、前記収納部の前記ドアパネルの移動方向における長さと等しいことが好ましい。
【００１６】
上記構成によれば、ドアパネルの移動方向における表示部の長さを同移動方向において第１収納部及び第２収納部からはみ出さない範囲で最大にすることができる。
上記ホームドア装置について、前記収納部は、前記開口部を塞ぐ蓋を有し、前記表示部は、前記蓋を兼ねることが好ましい。
【００１７】
上記構成によれば、表示部が収納部の開口部を閉じる蓋となるので、収納部の開口部を閉じる蓋を別途設ける必要がなく、ホームドア装置において蓋を必須の構成とする場合には、部品点数の削減を図ることができる。
【００１８】
上記ホームドア装置について、前記表示部は、情報の表示態様を制御する表示制御部を備え、前記表示制御部は、前記表示部が前記第２位置のときに露出する位置に配設されることが好ましい。
【００１９】
上記構成によれば、表示部を第２位置に移動させることで表示制御部が露出するので、表示制御部のメンテナンスを行うことができる。
上記ホームドア装置について、前記表示部の上部は、軌道側又は前記プラットホーム側に傾斜した傾斜部となっていることが好ましい。
【００２０】
上記構成によれば、表示部の上部に物を置くと落ちるため、プラットホームの利用者が表示部の上部に物を置かないようになる。
上記ホームドア装置について、前記収納部の上部は、前記表示部の傾斜部と同じ側に傾斜した傾斜部となっており、前記表示部の傾斜部と前記収納部の傾斜部とが連続的に設けられていることが好ましい。
【００２１】
上記構成によれば、収納部の上部に物を置くと落ちるため、プラットホームの利用者が表示部の上部や収納部の上部に物を置かないようになる。
【発明の効果】
【００２２】
本発明によれば、情報表示装置の設置位置に関する自由度を高めることができる。
【図面の簡単な説明】
【００２３】
【図１】ホームドア装置の第１の実施形態の構成を示す斜視図。
【図２】同実施形態のホームドア装置の情報表示装置が第１位置に位置した状態を示す正面図。
【図３】同実施形態のホームドア装置の構成を示す平面図。
【図４】同実施形態のホームドア装置から情報表示装置を取り外した状態を示す正面図。
【図５】同実施形態のホームドア装置から情報表示装置及び開口部の蓋を取り外した状態を示す正面図。
【図６】同実施形態のホームドア装置の情報表示装置の取付構造を示す横断面図。
【図７】同実施形態のホームドア装置の情報表示装置の取付構造を示す縦断面図。
【図８】同実施形態のホームドア装置の情報表示装置が第２位置に位置した状態を示す正面図。
【図９】同実施形態のホームドア装置の情報表示装置が第２位置に位置した状態を示す平面図。
【図１０】同実施形態のホームドア装置の情報表示装置が第２位置に位置した状態を示す正面図。
【図１１】同実施形態のホームドア装置の情報表示装置が第２位置に位置した状態を示す正面図。
【図１２】同実施形態のホームドア装置の電気的構成を示すブロック図。
【図１３】ホームドア装置の第２の実施形態の構成を示し、情報表示装置が第１位置に位置する状態を示す正面図。
【図１４】同実施形態のホームドア装置の情報表示装置が第２位置に位置する状態を示す側面図。
【図１５】同実施形態のホームドア装置の情報表示装置が第２位置に位置する状態を示す正面図。
【図１６】ホームドア装置の変形例を示す正面図。
【図１７】ホームドア装置の変形例を示す正面図。
【図１８】ホームドア装置の変形例を示す正面図。
【図１９】ホームドア装置の変形例を示す平面図。
【図２０】ホームドア装置の変形例を示す平面図。
【図２１】ホームドア装置の変形例を示す正面図。
【図２２】ホームドア装置の変形例を示す平面図。
【図２３】ホームドア装置の変形例を示す正面図。
【発明を実施するための形態】
【００２４】
（第１の実施形態）
以下、図１〜図１２を参照して、ホームドア装置及び情報表示装置の第１の実施形態について説明する。このホームドア装置は、鉄道等のプラットホームに設置される。
【００２５】
図１及び図２に示すように、ホームドア装置１０は、略矩形状のケース１３を有する収納部としてのガイドボックス１１，１２を二つ備えている。第１ガイドボックス１１と第２ガイドボックス１２とは、間隔を空けてプラットホーム１に固定されている。第１ガイドボックス１１は、第１ガイドボックス１１から図中左側へ進出する第１ドアパネル１５を移動可能に支持している。第１ガイドボックス１１には、第１ドアパネル１５を駆動する第１駆動装置２１が収納されている（図２参照）。また、第２ガイドボックス１２は、第２ガイドボックス１２から図中右側へ進出する第２ドアパネル１６を移動可能に支持している。第２ガイドボックス１２には、第２ドアパネル１６を駆動する第２駆動装置３１が収納されている（図２参照）。なお、第１駆動装置２１は第１駆動部に相当し、第２駆動装置３１は第２駆動部に相当する。
【００２６】
図１に示すように、ホームドア装置１０は、プラットホーム１の軌道２側の縁部に沿って設置される。ホームドア装置１０は、プラットホーム１を軌道２側とプラットホーム１側とに区画する。第１ドアパネル１５と第２ドアパネル１６とは、第１ガイドボックス１１の第１収納空間２０と第２ガイドボックス１２の第２収納空間３０とに収納されることで、プラットホーム１と車両との乗降通路１７が開かれる。なお、図示しないが、ホームドア装置１０は、間隔をおいて複数設置され、隣同士のホームドア装置１０の第１ドアパネル１５と第２ドアパネル１６とによって乗降通路１７が開閉される。
【００２７】
図３は、第１ガイドボックス１１の収納空間２０と第２ガイドボックス１２の収納空間３０にそれぞれ収納された第１ドアパネル１５と第２ドアパネル１６とを二点鎖線で示している。第１ガイドボックス１１と第２ガイドボックス１２との設置間隔は、第１ドアパネル１５と第２ドアパネル１６とを、第１ガイドボックス１１と第２ガイドボックス１２との間に収納できる長さとなっている。また、両ドアパネル１５，１６がガイドボックス１１，１２内に収納された状態では、両ドアパネル１５，１６がガイドボックス１１，１２の厚み方向に並ぶ状態となる。すなわち、第１ドアパネル１５は、収納空間２０，３０内において軌道２側の領域に配設されている。第２ドアパネル１６は、収納空間２０，３０内において第１ドアパネル１５の通過領域よりもプラットホーム１側に配設されている。言い換えると、収納空間２０，３０内において、第１ドアパネル１５は、第２ドアパネル１６の通過領域よりも軌道２側に配置されている。なお、隣り合うホームドア装置１０は、両ドアパネル１５，１６のガイドボックス１１，１２の厚み方向の位置が逆になっていることが望ましい。
【００２８】
図２に示すように、ホームドア装置１０は、情報を表示することが可能な情報表示装置５０を備えている。情報表示装置５０は、第１ガイドボックス１１の図中左端から第２ガイドボックス１２の図中右端までの範囲のプラットホーム１側に取り付けられている。情報表示装置５０のドアパネル１５，１６の移動方向の長さは、第１ガイドボックス１１の図中左端と第２ガイドボックス１２の図中右端との間の長さとほぼ等しい。また、情報表示装置５０の鉛直方向の長さは、ガイドボックス１１，１２の鉛直方向の長さとほぼ等しい。すなわち、情報表示装置５０の大きさは、第１ガイドボックス１１のプラットホーム１側の正面１１Ｂ全体と第２ガイドボックス１２のプラットホーム１側の正面１２Ｂ全体とを覆う大きさである。情報表示装置５０は、情報を表示する部分であるディスプレイ５１を備えている。ディスプレイ５１は、情報表示装置５０のほぼ中央に位置している。また、情報表示装置５０は、情報表示装置５０を制御する表示制御部５２を備えている。表示制御部５２は、情報表示装置５０の鉛直方向下部に位置している。ここでディスプレイ５１として液晶ディスプレイ、プラズマディスプレイ、有機ＥＬディスプレイ、電子ペーパーなどを用いることができる。なお、情報表示装置５０は表示部に相当する。
【００２９】
図４に示すように、第１ガイドボックス１１は、第１駆動装置２１を露出させるための第１開口部２２と、第１開口部２２を閉じる第１蓋２３とを備えている。第１開口部２２は、第１ガイドボックス１１のプラットホーム１側の面に形成されている。第１蓋２３は、第１開口部２２に対して着脱可能となっている。また、第２ガイドボックス１２は、第２駆動装置３１を露出させるための第２開口部３２と、第２開口部３２を閉じる第２蓋３３とを備えている。第２開口部３２は、プラットホーム１側の面に形成されている。第２蓋３３は、第１開口部２２に対して着脱可能となっている。
【００３０】
図５に示すように、第１蓋２３を第１開口部２２から取り外すことにより第１開口部２２が開放されて第１駆動装置２１が露出するため、第１駆動装置２１等のメンテナンスを行うことができる。なお、第１ドアパネル１５の上部は、第１ガイドボックス１１内の設けられる第１支持部２５によって支持される。第１ドアパネル１５の下部は、第１駆動装置２１によって駆動力が付与される。また、第２蓋３３を第２開口部３２から取り外すことにより第２開口部３２が開放されて第２駆動装置３１が露出するため、第２駆動装置３１等のメンテナンスを行うことができる。なお、第２ドアパネル１６の上部は、第２ガイドボックス１２内の設けられる第２支持部３５によって支持される。第２ドアパネル１６の下部は、第２駆動装置３１によって駆動力が付与される。第１ガイドボックス１１には、第１駆動装置２１と第２駆動装置３１との駆動を制御する駆動制御部１８が収納されている。駆動制御部１８は、鉛直方向における第１ガイドボックス１１のほぼ中央に位置している。
【００３１】
ホームドア装置１０には、第１ガイドボックス１１と第２ガイドボックス１２とを覆う情報表示装置５０が設けられている。したがって、このままでは第１ガイドボックス１１の第１開口部２２と第２ガイドボックス１２の第２開口部３２とが露出しない。そこで、図６及び図７に示すように、ホームドア装置１０は、情報表示装置５０を、第１開口部２２と第２開口部３２とを覆う第１位置Ｐ１（図１）と、第１開口部２２又は第２開口部３２を覆わない位置である第２位置Ｐ２Ａ，Ｐ２Ｂ（図８，図１０）との間で移動させる移動部としてのスライド機構６０を備えている。
【００３２】
スライド機構６０は、情報表示装置５０をドアパネル１５，１６の厚さ方向に垂直な方向、言い換えればドアパネル１５，１６の移動方向に沿って第１位置Ｐ１と第２位置Ｐ２Ａ，Ｐ２Ｂとの間で移動させる。図８に示すように、右側第２位置Ｐ２Ａは、情報表示装置５０が右側へ移動して第１ガイドボックス１１の第１開口部２２を露出させる位置である。図１０に示すように、左側第２位置Ｐ２Ｂは、情報表示装置５０が左側へ移動して第２ガイドボックス１２の第２開口部３２を露出させる位置である。
【００３３】
図６及び図７に示すように、ホームドア装置１０は、第１ガイドボックス１１と第２ガイドボックス１２との間に固定される板状の固定パネル４０を備えている。ドアパネル１５，１６の移動方向における固定パネル４０の長さは、第１ガイドボックス１１と第２ガイドボックス１２の離間距離とほぼ同じである。また、固定パネル４０の鉛直方向の長さは、第１ガイドボックス１１と第２ガイドボックス１２との鉛直方向の長さとほぼ同じである。固定パネル４０は、第１ガイドボックス１１に取り付けられている第１ブラケット２４と第２ガイドボックス１２に取り付けられている第２ブラケット３４とに固定されている。
【００３４】
図６に示すように、第１ブラケット２４は、第１ガイドボックス１１の第１ドアパネル１５が進出する左側側面１１Ａからプラットホーム１側の面である正面１１Ｂに沿って延出され、第１ガイドボックス１１の右側側面１１Ｃから立設する立設部２４Ａを備えている。また、第２ブラケット３４は、第２ガイドボックス１２の第２ドアパネル１６が進出する右側側面１２Ａからプラットホーム１側の面である正面１２Ｂに沿って延出され、第２ガイドボックス１２の左側側面１２Ｃから立設する立設部３４Ａを備えている。固定パネル４０は、第１ブラケット２４の立設部２４Ａと第２ブラケット３４の立設部３４Ａとに複数の螺子４１によって固定されている。固定パネル４０の背面４０Ｂは、第１ブラケット２４と第２ブラケット３４とに螺子止めされている。
【００３５】
図６及び図７に示すように、情報表示装置５０は、スライド機構６０を介して固定パネル４０に取り付けられている。すなわち、スライド機構６０は、固定パネル４０と情報表示装置５０との間に取り付けられている。固定パネル４０には、ドアパネル１５，１６の移動方向に延出する凹部からなるガイド溝６１が上下に一対設けられている。ガイド溝６１は、ガイドボックス１１，１２の表面よりも突出した位置に設けられている。また、情報表示装置５０の固定パネル４０側の面である背面５０Ｂには、ドアパネル１５，１６の移動方向に延出し、各ガイド溝６１に摺動可能に嵌合する凸部からなるガイド凸部６２が上下に一対設けられている。そして、情報表示装置５０は、ガイド溝６１にガイド凸部６２が嵌合した状態で摺動することにより固定パネル４０及び第１ガイドボックス１１及び第２ガイドボックス１２に対してドアパネル１５，１６の移動方向に移動することができる。
【００３６】
情報表示装置５０は、まずスライド機構６０を介して固定パネル４０に取り付けられて、続いてこの固定パネル４０を第１ガイドボックス１１と第２ガイドボックス１２とに固定することでホームドア装置１０に取り付けられる。
【００３７】
図７に示すように、ホームドア装置１０は、固定パネル４０に対する情報表示装置５０の移動を規制するロック機構８０を備えている。ロック機構８０は、Ｕ字状のロック部材８１と、このロック部材８１を回転させる回転部８２と、ロック部材８１がロック位置に回転されたときに当接する規制部材８３とを備えている。ロック部材８１は、情報表示装置５０の背面５０Ｂ側に位置する。回転部８２は、情報表示装置５０の正面５０Ａ側に位置し、ロック部材８１と連結されている。規制部材８３は、棒状の部材であって、固定パネル４０に固定されている。ロック部材８１はＵ字状の部材であるため、９０°回転させると規制部材８３と当接する。ロック部材８１と規制部材８３とが当接すると、情報表示装置５０の移動が規制されたロック状態となる。
【００３８】
また、情報表示装置５０の下部には、表示制御部５２（図２参照）から固定パネル４０側へ通信ケーブルや電源ケーブルを保護及び案内するケーブルベア（登録商標）５３が設けられている。ケーブルベア（登録商標）５３の先端部５３Ａは、固定パネル４０に固定されたＬ字状のフック４２に取り付けられている。また、図示していないが、ケーブルベア（登録商標）５３の基端部は、情報表示装置５０に取り付けられている。情報表示装置５０の下部の両端部には、プラットホーム１に接地して情報表示装置５０自体を支持する支持脚５４が設けられている。
【００３９】
図１に示すように、第１ガイドボックス１１の上部は、プラットホーム１側に傾斜している。具体的には、第１ガイドボックス１１の上部には、第１カバー２６が設けられている。この第１カバー２６は、プラットホーム１側に傾斜した傾斜面２６ａを有している。したがって、第１カバー２６においてプラットホーム１側の部位は軌道２側の部位よりも鉛直方向下方に位置している。第２ガイドボックス１２の上部は、プラットホーム１側に傾斜している。具体的には、第２ガイドボックス１２の上部には、第２カバー３６が設けられている。この第２カバー３６においてプラットホーム１側の部位は軌道２側の部位よりも鉛直方向下方に位置している。第１カバー２６と第２カバー３６との間には、両カバー２６，３６に連続する第３カバー４６が取り付けられている。第３カバー４６は、第１カバー２６の端部と第２カバー３６の端部とに固定されている。第３カバー４６は、プラットホーム１側に傾斜した傾斜面４６ａを有している。したがって、第３カバー４６においてプラットホーム１側の部位は軌道２側の部位よりも鉛直方向下方に位置している。第１カバー２６の傾斜面２６ａと第２カバー３６の傾斜面３６ａと第３カバー４６の傾斜面４６ａとは同じ傾斜角となっている。また、情報表示装置５０の上部は、プラットホーム１側に傾斜している。具体的には、情報表示装置５０の上部には、第４カバー５６が設けられている。この第４カバー５６においてプラットホーム１側の部位は軌道２側の部位よりも鉛直方向下方に位置している。
【００４０】
図７に示すように、第４カバー５６は、第１カバー２６及び第２カバー３６及び第３カバー４６と同じようにプラットホーム１側に傾斜しており、第１カバー２６及び第２カバー３６及び第３カバー４６と第４カバー５６とが連続的に設けられている。すなわち、第１カバー２６及び第２カバー３６及び第３カバー４６の各傾斜面２６ａ，３６ａ，４６ａと第４カバー５６の傾斜面５６ａとが面一となっている。
【００４１】
次に、図１２を参照して、ホームドア装置１０の電気的な構成について説明する。
ホームドア装置１０は、外部に設けられる中央制御部７０によって制御されている。中央制御部７０は、ホームドア装置１０の表示制御部５２にディスプレイ５１に表示させる情報を出力する。表示制御部５２は、中央制御部７０から入力された情報をディスプレイ５１に表示させる。また、中央制御部７０は、ホームドア装置１０の駆動制御部１８にドアパネル１５，１６の開又は閉を指示する指示信号を出力する。駆動制御部１８は、中央制御部７０から入力された指示信号に基づいて第１駆動装置２１と第２駆動装置３１とを駆動させる。駆動制御部１８は、中央制御部７０からの指示信号をトリガとして、図示しない各種センサによってドアパネル１５，１６を移動させて良いか否かを判断した上で第１駆動装置２１と第２駆動装置３１とを駆動させる。図１２では、駆動制御部１８と第１駆動装置２１と第２駆動装置３１をまとめて駆動部１９としている。なお、同一のプラットホーム１に複数のホームドア装置１０が設置されている場合には、中央制御部７０が全てのホームドア装置１０を一括制御する。
【００４２】
次に、図２、図８〜図１１を参照して、上記のように構成されたホームドア装置１０の作用について説明する。
図２に示すように、ホームドア装置１０は、ドアパネル１５，１６を収納空間２０，３０から進出させた閉状態となっている。そして、軌道２上に車両が到着して、車両から車両の扉を開く開信号が中央制御部７０に入力されると、中央制御部７０はドアパネル１５，１６を開状態とすべく開の指示信号を駆動制御部１８に出力する。駆動制御部１８は、中央制御部７０から入力された開の指示信号に基づいて第１駆動装置２１と第２駆動装置３１とを駆動制御することでドアパネル１５，１６を収納空間２０，３０に収納する。ドアパネル１５，１６が開状態となると、乗降通路１７が通行可能となる。続いて、車両から車両の扉を閉じる閉信号が中央制御部７０に入力されると、中央制御部７０はドアパネル１５，１６を閉状態とすべく閉の指示信号を駆動制御部１８に出力する。駆動制御部１８は、中央制御部７０から入力された閉の指示信号に基づいて第１駆動装置２１と第２駆動装置３１とを駆動制御することでドアパネル１５，１６を収納空間２０，３０から進出させる。ドアパネル１５，１６が閉状態となると、乗降通路１７が通行不能となる。
【００４３】
中央制御部７０は、情報表示装置５０の表示制御部５２に情報を出力する。この表示制御部５２に出力される情報は、ドアパネル１５，１６の状態に応じて切り替わる情報であってもよく、ドアパネル１５，１６の状態によらず切り替わる情報であってもよい。この情報は、広告や注意喚起のための画像である。
【００４４】
次に、ホームドア装置１０におけるメンテナンス作業について説明する。
図２に示すように、メンテナンス時以外の通常時には、第１ガイドボックス１１と固定パネル４０と第２ガイドボックス１２とが情報表示装置５０により覆われている。言い換えれば、第１ガイドボックス１１の第１開口部２２と第２ガイドボックス１２の第２開口部３２とが情報表示装置５０により覆われた第１位置Ｐ１に情報表示装置５０が位置している。
【００４５】
図８及び図９に示すように、第１駆動装置２１のメンテナンスを行う際には、まずロック機構８０のロック状態を解除して、スライド機構６０によって情報表示装置５０を固定パネル４０に対して右側へ移動させ、第１ガイドボックス１１の第１開口部２２が情報表示装置５０により覆われない位置である右側第２位置Ｐ２Ａに位置させる。そして、第１開口部２２から第１蓋２３を取り外すことで、第１駆動装置２１を露出させて、第１駆動装置２１のメンテナンスを行うことができる。第１駆動装置２１のメンテナンスが終わったら、第１蓋２３を第１開口部２２に取り付けて、情報表示装置５０を第１位置Ｐ１に移動させ、ロック機構８０をロック状態に変更する。
【００４６】
図１０及び図１１に示すように、第２駆動装置３１のメンテナンスを行う際には、スライド機構６０によって情報表示装置５０を固定パネル４０に対して左側へ移動させ、第２ガイドボックス１２の第２開口部３２が情報表示装置５０により覆われない位置である左側第２位置Ｐ２Ｂに位置させる。そして、第２開口部３２から第２蓋３３を取り外すことで、第２駆動装置３１を露出させて、第２駆動装置３１のメンテナンスを行うことができる。第２駆動装置３１のメンテナンスが終わったら、第２蓋３３を第２開口部３２に取り付けて、情報表示装置５０を第１位置Ｐ１に移動させる。
【００４７】
したがって、メンテナンス作業において情報表示装置５０が邪魔になることはなく、情報表示装置５０の設置位置に関する自由度を高めることができる。
以上説明したように、本実施形態によれば、以下の効果を奏することができる。
【００４８】
（１）メンテナンス時以外の通常時には情報表示装置５０を第１位置Ｐ１、すなわち開口部２２，３２を覆う位置に配置することができる。一方、メンテナンス時にはスライド機構６０を通じて情報表示装置５０を第２位置Ｐ２Ａ，Ｐ２Ｂに移動させることで駆動装置２１，３１のメンテナンス作業を容易に行うことができる。したがって、情報表示装置５０の設置位置に関する自由度を高めることができる。
【００４９】
（２）情報表示装置５０がスライド機構６０によってドアパネル１５，１６の厚さ方向に垂直な方向に沿って第１位置Ｐ１と第２位置Ｐ２Ａ，Ｐ２Ｂとの間を移動するので、メンテナンス時に情報表示装置５０がプラットホーム１の中央側へ突出して通行を妨げないようにすることができる。よって、情報表示装置５０が移動した際に、プラットホーム１において情報表示装置５０が占有する面積を抑制することができる。
【００５０】
（３）第１ガイドボックス１１と第２ガイドボックス１２との間に固定される固定パネル４０にスライド機構６０が取り付けられることで、ガイドボックス１１，１２にスライド機構６０を取り付ける構造を備える必要がなく、取り付けに伴うガイドボックス１１，１２の構造の変更を少なくすることができる。また、固定パネル４０を予め備えるホームドア装置１０であれば、情報表示装置５０が取り付けられた固定パネル４０に交換することで情報表示装置５０をホームドア装置１０に備えることができる。
【００５１】
（４）ドアパネル１５，１６の移動方向における情報表示装置５０の長さを同移動方向において第１ガイドボックス１１及び第２ガイドボックス１２からはみ出さない範囲で最大にすることができる。
【００５２】
（５）情報表示装置５０の上部に物を置くと落ちるため、プラットホーム１の利用者が情報表示装置５０の上部に物を置かないようになる。
（６）ガイドボックス１１，１２の上部に物を置くと落ちるため、プラットホーム１の利用者が情報表示装置５０の上部やガイドボックス１１，１２の上部に物を置かないようになる。
【００５３】
（第２の実施形態）
以下、図１３〜図１５を参照して、ホームドア装置及び情報表示装置の第２の実施形態について説明する。この実施形態のホームドア装置は、第２位置が情報表示装置５０を第１位置から所定の回転軸を中心に回転させた位置である点が上記第１の実施形態と異なっている。以下、第１の実施形態との相違点を中心に説明する。
【００５４】
図１３に示すように、ホームドア装置１１０は、第１の実施形態と同様に、第１ドアパネル１５と、第１ドアパネル１５を駆動する第１駆動装置２１と、第２ドアパネル１６と、第２ドアパネル１６を駆動する第２駆動装置３１とを備えている。そして、ホームドア装置１１０は、第１駆動装置２１と第２駆動装置３１との両方を収納する収納部としてガイドボックス１１１を備えている。ドアパネル１５，１６の移動方向におけるガイドボックス１１１の長さは、ドアパネル１５，１６を収納可能な長さであって、ドアパネル１５，１６より若干長くなっている。ガイドボックス１１１のプラットホーム１側の面である正面１１１Ａには、第１駆動装置２１及び第２駆動装置３１を露出させるための開口部１１２が設けられている。
【００５５】
図１４に示すように、ホームドア装置１１０は、情報表示装置１５０を備えている。情報表示装置１５０は、ガイドボックス１１１のプラットホーム１側に取り付けられている。情報表示装置１５０のほぼ中央にディスプレイ１５１が設けられている。ホームドア装置１１０は、ガイドボックス１１１の開口部１１２が情報表示装置１５０により覆われる第１位置Ｐ１１と、情報表示装置１５０により開口部１１２が覆われない位置である第２位置Ｐ１２との間で情報表示装置１５０を移動させる移動部としての回転機構１６０を備えている。回転機構１６０は、回転軸１６１を中心に情報表示装置１５０を回転させて、第１位置Ｐ１１と第２位置Ｐ１２との間で移動させる。ガイドボックス１１１は開口部１１２を塞ぐ蓋を有し、情報表示装置１５０がこの蓋を兼ねる。なお、情報表示装置１５０は表示部に相当する。
【００５６】
回転機構１６０は、情報表示装置１５０の上端部に設けられ、ドアパネル１５，１６の移動方向に延出する回転軸１６１を備えている。この回転軸１６１は、ガイドボックス１１１の上端部に固定されている。よって、情報表示装置１５０は、回転軸１６１を中心にガイドボックス１１１に対して回転する。また、回転機構１６０は、情報表示装置１５０とガイドボックス１１１とに接続されるダンパー１６２を備えている。ダンパー１６２は、情報表示装置１５０をガイドボックス１１１の開口部１１２から開いた状態に維持することができる。
【００５７】
図１４に示すように、情報表示装置１５０の第１位置Ｐ１１は、ガイドボックス１１１の開口部１１２を情報表示装置１５０が閉じた位置である。第１位置Ｐ１１の情報表示装置１５０は、ドアパネル１５，１６の厚さ方向において半分ほどがガイドボックス１１１に嵌合する。このため、ガイドボックス１１１からの情報表示装置１５０のプラットホーム１側への突出量は抑制されている。情報表示装置１５０の第２位置Ｐ１２は、ガイドボックス１１１の開口部１１２を露出させ、ガイドボックス１１１の正面１１１Ａに対してほぼ垂直となる位置、言い換えれば第１位置Ｐ１１からほぼ９０°回転した位置である。ガイドボックス１１１の上部には、カバー１１３が設けられている。カバー１１３は、ドアパネル１５，１６の厚み方向において中央を境にプラットホーム１側と軌道２側とに傾斜した傾斜面を有している。
【００５８】
次に、図１３〜図１５を参照して、上記のように構成されたホームドア装置１１０のメンテナンス作業について説明する。
図１３に示すように、メンテナンス時以外の通常時には、ガイドボックス１１１の正面１１１Ａが情報表示装置１５０により覆われている。言い換えれば、ガイドボックス１１１の開口部１１２が情報表示装置１５０により覆われた第１位置Ｐ１に情報表示装置１５０が位置している。
【００５９】
図１４及び図１５に示すように、駆動装置２１，３１のメンテナンスを行う際には、回転機構１６０の回転軸１６１によって情報表示装置１５０を回転させ、ガイドボックス１１１の開口部１１２が情報表示装置１５０により覆われない位置である第２位置Ｐ１２に位置させる。そして、情報表示装置１５０を第２位置Ｐ１２に位置させることで、駆動装置２１，３１を露出させて、駆動装置２１，３１のメンテナンスを行うことができる。駆動装置２１，３１のメンテナンスが終わったら、情報表示装置５０を第２位置Ｐ１２に移動させる。
【００６０】
したがって、メンテナンス作業において情報表示装置１５０が邪魔になることはなく、情報表示装置５０の設置位置に関する自由度を高めることができる。
以上説明したように、本実施形態によれば、第１の実施形態の（４）、（６）に加え、以下の効果を奏することができる。
【００６１】
（１）メンテナンス時以外の通常時には情報表示装置１５０を第１位置Ｐ１１、すなわち開口部１１２を覆う位置に配置することができる。一方、メンテナンス時には回転機構１６０を通じて情報表示装置１５０を第２位置Ｐ１２に移動させることで駆動装置２１，３１のメンテナンス作業を容易に行うことができる。したがって、情報表示装置１５０の設置位置に関する自由度を高めることができる。
【００６２】
（２）情報表示装置１５０が回転機構１６０によって第１位置Ｐ１１と第２位置Ｐ１２との間を回転するので、メンテナンス時にドアパネル１５，１６がプラットホーム１と車両との乗降通路１７に情報表示装置１５０が位置しないようにすることができる。よって、情報表示装置１５０が移動した際に、ホームドア装置１１０の乗降通路１７の開口幅が減少することを抑制することができる。
【００６３】
（３）情報表示装置１５０を第２位置Ｐ１２に移動させることで表示制御部１５２が露出するので、表示制御部１５２のメンテナンスを行うことができる。
なお、上記実施形態は、これを適宜変更した以下の形態にて実施することもできる。
【００６４】
・第１の実施形態では、情報表示装置５０をスライド機構６０によってドアパネル１５，１６の移動方向に移動させたが、情報表示装置５０をスライド機構によって鉛直方向に移動させてもよい。例えば、図１６に示す例では、情報表示装置２５０の第１位置Ｐ２１は、第１の実施形態と同様の位置であって、情報表示装置２５０が第１ガイドボックス１１の正面１１Ｂと固定パネル４０と第２ガイドボックス１２の正面１２Ｂとを覆う位置である。情報表示装置２５０の第２位置Ｐ２２は、情報表示装置２５０が鉛直方向において第１ガイドボックス１１の開口部２２と第２ガイドボックス１２の開口部３２とを覆わない位置である。情報表示装置２５０は、図示しないスライド機構によって鉛直方向に移動可能である。開口部２２，３２は、蓋２３，３３によってそれぞれ閉じられている。このような構成によれば、メンテナンス時に情報表示装置２５０が第２位置Ｐ２２に移動しても、情報表示装置２５０がプラットホーム１側にも、乗降通路１７側にも突出しない。
【００６５】
・また、図１７に示す例では、情報表示装置３５０は左側情報表示装置３５０Ａと右側情報表示装置３５０Ｂとに左右に分割される。情報表示装置３５０の第１位置Ｐ３１は、情報表示装置３５０が第１ガイドボックス１１の正面１１Ｂと固定パネル４０と第２ガイドボックス１２の正面１２Ｂとを覆う位置である。左側情報表示装置３５０Ａの第２位置Ｐ３２Ａは、左側情報表示装置３５０Ａが右側情報表示装置３５０Ｂから分離してドアパネル１５，１６の移動方向において左側に移動して第１ガイドボックス１１の開口部２２を覆わない位置である。右側情報表示装置３５０Ｂの第２位置Ｐ３２Ｂは、右側情報表示装置３５０Ｂが左側情報表示装置３５０Ａから分離してドアパネル１５，１６の移動方向において右側に移動して第２ガイドボックス１２の開口部３２を覆わない位置である。情報表示装置３５０は、図示しないスライド機構によってドアパネル１５，１６の移動方向に移動可能である。開口部２２，３２は、蓋２３，３３によってそれぞれ閉じられている。スライド機構は、第１ガイドボックス１１と左側情報表示装置３５０Ａとの間と、第２ガイドボックス１２と右側情報表示装置３５０Ｂとの間とにそれぞれ設けられることが好ましい。
【００６６】
・第１の実施形態では、情報表示装置５０を第１ガイドボックス１１の正面１１Ｂと固定パネル４０と第２ガイドボックス１２の正面１２Ｂとを覆う大きさとしたが、情報表示装置によって収納部であるガイドボックスに設けられた開口部の一部が覆われればよい。すなわち、情報表示装置のドアパネル１５，１６の移動方向における長さは、第１ガイドボックス１１の正面１１Ｂと固定パネル４０と第２ガイドボックス１２の正面１２Ｂとの和である長さよりも短くてもよい。また、図１８に示す例では、情報表示装置４５０の鉛直方向における長さをガイドボックス１１，１２の鉛直方向の長さよりも短くしている。情報表示装置４５０は、第１位置Ｐ４１と、左側第２位置Ｐ４２Ａ、右側第２位置Ｐ４２Ｂとの間で図示しないスライド機構によって移動する。開口部２２，３２は、蓋２３，３３によってそれぞれ閉じられている。
【００６７】
・第２の実施形態では、情報表示装置１５０がガイドボックス１１１の上部の設けられた回転軸１６１を中心に回転して第２位置Ｐ１２に移動するようにしたが、他の位置に回転軸を設けて情報表示装置を回転させて第２位置に移動させてもよい。例えば、図１９に示すように、情報表示装置５５０は回転機構５６０によって回転する。すなわち、ガイドボックス１１１の左側端部に回転軸５６１が設けられている。情報表示装置５５０は、ガイドボックス１１１の開口部１１２を覆う第１位置Ｐ５１と、ガイドボックス１１１の開口部１１２を覆わない第２位置Ｐ５２との間で回転機構５６０によって回転する。情報表示装置５５０は、開口部１１２を閉じる蓋としてもよい。
【００６８】
・また、図２０に示す例では、情報表示装置は左右に左側情報表示装置６５０Ａと右側情報表示装置６５０Ｂとに分割される。情報表示装置６５０Ａ，６５０Ｂは、回転機構６６０によってガイドボックス１１１に対して回転する。左側情報表示装置６５０Ａは、ガイドボックス１１１の左側端部に設けられる左側回転軸６６１によって回転する。右側情報表示装置６５０Ｂは、ガイドボックス１１１の右側端部に設けられる右側回転軸６６２によって回転する。情報表示装置６５０Ａ，６５０Ｂの第１位置Ｐ６１Ａ，Ｐ６１Ｂは、情報表示装置６５０Ａ，６５０Ｂがガイドボックス１１１の正面１１１Ａを覆う位置である。左側情報表示装置６５０Ａの第２位置Ｐ６２Ａは、左側情報表示装置６５０Ａが右側情報表示装置６５０Ｂと分離して左側回転軸６６１を中心に回転してガイドボックス１１１の開口部１１２の左側を覆わない位置である。右側情報表示装置６５０Ｂの第２位置Ｐ６２Ｂは、右側情報表示装置６５０Ｂが左側情報表示装置６５０Ａと分離して右側回転軸６６２を中心として回転してガイドボックス１１１の開口部１１２の右側を覆わない位置である。情報表示装置６５０Ａ，６５０Ｂは、開口部１１２を閉じる蓋としてもよい。
【００６９】
・また、ガイドボックス１１１の正面１１１Ａに対して垂直方向に延出する回転軸を設け、この回転軸を中心に情報表示装置が回転することで第２位置に位置するようにしてもよい。例えば、図２１に示す例では、情報表示装置７５０は回転機構７６０によって回転する。ガイドボックス１１１の正面１１１Ａの左側上部の角に回転軸７６１が設けられている。情報表示装置７５０は、開口部１１２を閉じる蓋として機能する。情報表示装置７５０は、ガイドボックス１１１の開口部１１２を覆う第１位置Ｐ７１と回転軸７６１を中心として回転した位置である第２位置Ｐ７２との間を移動する。
【００７０】
・図２２に示す例では、情報表示装置８５０は、移動部８６０によって第１位置Ｐ８１と第２位置Ｐ８２との間を移動する。移動部８６０は、情報表示装置８５０を折り畳む折り畳み機構８６１と、第１ガイドボックス１１又は第２ガイドボックス１２に接触した状態のまま移動可能な接触機構８６２とを備えている。情報表示装置８５０の第１位置Ｐ８１は、第１ガイドボックス１１の開口部２２と第２ガイドボックス１２の開口部３２とを覆う位置である。情報表示装置８５０の第２位置Ｐ８２は、折り畳まれて移動して第１ガイドボックス１１の開口部２２と第２ガイドボックス１２の開口部３２との少なくとも一方を覆わない位置である。開口部２２，３２は、蓋２３，３３によってそれぞれ閉じられている。
【００７１】
・図２３に示す例では、情報表示装置９５０は、有機ＥＬディスプレイや電子ペーパーなどのように薄膜状で変形可能であって、第１ガイドボックス１１の正面１１Ｂと第２ガイドボックス１２の正面１２Ｂとに貼り付けられる。情報表示装置９５０は、静電気力、磁力、吸盤等の貼り付け手段によって貼り付けられている。情報表示装置９５０は、第１ガイドボックス１１の開口部２２と第２ガイドボックス１２の開口部３２とを覆う第１位置Ｐ９１から変形することで開口部２２と開口部３２とを覆わない第２位置Ｐ９２に変更することができる。
【００７２】
・上記各実施形態では、第２位置を情報表示装置により開口部が覆われない位置とした。しかしながら、第２位置を、開口部の情報表示装置により覆われる領域が第１位置にあるときと比較して小さい位置であるようにしてもよい。このようにすれば、情報表示装置の設置位置に関する自由度を高めることができる。開口部３２は、蓋３３によって閉じられている。
【００７３】
・上記各実施形態では、ガイドボックス１１，１２の開口部２２，３２を蓋２３，３３によって閉じたが、蓋２３，３３を省略して、情報表示装置５０，２５０，３５０，４５０，８５０，９５０を開口部２２，３２の蓋としてもよい。
【００７４】
・上記各実施形態では、情報表示装置１５０，５５０，６５０Ａ，６５０Ｂ，７５０をガイドボックス１１１の開口部１１２の蓋としたが、情報表示装置とは別に蓋を設けてもよい。
【００７５】
・上記各実施形態では、ディスプレイ５１は液晶ディスプレイ、プラズマディスプレイ、有機ＥＬディスプレイ、電子ペーパーなど電子的ディスプレイとしたが、これに代えて紙のポスターを有する表示パネルのような非電子的ディスプレイであってもよい。
【００７６】
・上記各実施形態では、情報表示装置をホームドア装置１０，１１０，２１０，３１０，４１０，５１０，６１０，７１０，８１０，９１０のプラットホーム１側に設けたが、軌道２側に設けてもよい。なお、情報表示装置は、ホームドア装置のプラットホーム１側と軌道２側の両方に設けてもよいし、軌道２側のみに設けてもよい。
【００７７】
・上記各実施形態では、中央制御部７０がホームドア装置１０を制御したが、ホームドア装置１０が車両から開閉信号を直接取得して駆動装置２１，３１と情報表示装置とを制御してもよい。
【００７８】
・上記各実施形態では、ドアパネルを２個備えたホームドア装置としたが、ドアパネルを１個のみ備えたホームドア装置としてもよい。
【符号の説明】
【００７９】
１…プラットホーム、２…軌道、１０…ホームドア装置、１１…第１ガイドボックス、１１Ａ…左側側面、１１Ｂ…正面、１１Ｃ…右側側面、１２…第２ガイドボックス、１２Ａ…右側側面、１２Ｂ…正面、１２Ｃ…左側側面、１３…ケース、１５…第１ドアパネル、１６…第２ドアパネル、１７…乗降通路、１８…駆動制御部、１９…駆動部、２０…第１収納空間、２１…第１駆動装置、２２…第１開口部、２３…第１蓋、２４…第１ブラケット、２４Ａ…立設部、２５…第１支持部、２６…第１カバー、３０…第２収納空間、３１…第２駆動装置、３２…第２開口部、３３…第２蓋、３４…第２ブラケット、３４Ａ…立設部、３５…第２支持部、３６…第２カバー、４０…固定パネル、４０Ａ…正面、４０Ｂ…背面、４１…螺子、４２…フック、４６…第３カバー、５０…情報表示装置、５０Ａ…正面、５０Ｂ…背面、５１…ディスプレイ、５２…表示制御部、５３…ケーブルベア、５３Ａ…先端部、５４…支持脚、５６…第４カバー、６０…スライド機構、６１…ガイド溝、６２…ガイド凸部、６３…ベアリング、７０…中央制御部、８０…ロック機構、８１…ロック部材、８２…回転部、８３…規制部材、１１０…ホームドア装置、１１１…ガイドボックス、１１２…開口部、１５０…情報表示装置、１６０…回転機構、１６１…回転軸、１６２…ダンパー。
【図１】
2018065442.tif 000003
【図２】
2018065442.tif 000004
【図３】
2018065442.tif 000005
【図４】
2018065442.tif 000006
【図５】
2018065442.tif 000007
【図６】
2018065442.tif 000008
【図７】
2018065442.tif 000009
【図８】
2018065442.tif 000010
【図９】
2018065442.tif 000011
【図１０】
2018065442.tif 000012
【図１１】
2018065442.tif 000013
【図１２】
2018065442.tif 000014
【図１３】
2018065442.tif 000015
【図１４】
2018065442.tif 000016
【図１５】
2018065442.tif 000017
【図１６】
2018065442.tif 000018
【図１７】
2018065442.tif 000019
【図１８】
2018065442.tif 000020
【図１９】
2018065442.tif 000021
【図２０】
2018065442.tif 000022
【図２１】
2018065442.tif 000023
【図２２】
2018065442.tif 000024
【図２３】
2018065442.tif 000025